(57)【要約】      （修正有）【課題】自転車のハンドルポスト又はフレームにも、付属部品なしで直接適合でき、固定対象のある駐輪スペースでの使用に適したワイヤー錠を提供する。【解決手段】本発明のワイヤー錠は、差込オス部２ｃを有するワイヤー端２ｂと、差込メス部１ａが付属する錠本体１と、差込オス部２ｃの貫通する穴が両端に開いてＵ字形状をした係止部１ｂとを備える。固定対象には、ワイヤー２を巻き付け、ワイヤー端２ａに形成した輪にワイヤー端２ｂを通して繋ぎ止める。Ｕ字形状係止部１ｂは自転車のハンドルポストにかぶせ、差込オス部２ｃを差込メス部１ａに差し込んで、自転車を繋ぐ。【選択図】図２
2020190140.tif 000002
【特許請求の範囲】
【請求項１】
盗難防止に使用するワイヤー錠であって、ワイヤーの一端Ａに形成した輪に他端Ｂを通し、固定対象に繋ぎ止める手段と、繋ぎ止める対象物を繋ぐ前記他端Ｂは、差込オス部となっており、錠本体に差込メス部が付属する錠手段と、前記差込オス部の貫通する穴が両端に開いてＵ字形状をした係止部は、前記錠本体の一部として前記差込メス部の手前に付属している係止手段と、を備えることを特徴とするワイヤー錠。
【請求項２】
前記Ｕ字形状のサイズが、自転車のハンドルポスト又はフレームの、パイプ径の寸法に合致するように、前記Ｕ字形状の内寸が３０から７０ミリメートルを有する前記係止手段を備えていることを特徴とする請求項１に記載のワイヤー錠。
【請求項３】
前記ワイヤーのー端Ａに形成した輪の内径の大きさは、前記他端Ｂが通り得る径以上であり、前記錠本体が通り得ない径以下であることを特徴とする請求項１に記載のワイヤー錠。
【発明の詳細な説明】
【技術分野】
【０００１】
本発明は、ワイヤー錠に関する。
【背景技術】
【０００２】
従来、ワイヤーの一端を固定対象に繋ぎ止め、他端を繋ぎ止める対象物に繋ぐ、ワイヤー錠は、ワイヤー端を錠に繋ぐ単独機能で設計されており、繋ぎ止める対象物と錠は、別部品で、固定又は繋いでいる。このようなワイヤー錠を示す従来技術としては、下記特許文献１〜３がある。
【先行技術文献】
【特許文献】
【０００３】
【特許文献１】特許第６０３１６３８号公報
【特許文献２】特開２０１１−５６９７０号公報
【特許文献３】実登３１０５９６５号公報
【発明の概要】
【発明が解決しようとする課題】
【０００４】
上記特許文献１〜３に示すような従来のワイヤー錠においては、ワイヤーで輪を形成、又は、一端を繋ぎ止める対象物に取り付けた部品に差し込む、ことを前提として設計したものが一般的であった。また、自転車のハンドルポスト又はフレームに、付属部品なしで適合するワイヤー錠は一般的ではない。
【０００５】
そこで、本発明は上記、従来の課題に対し、ワイヤー錠を自転車のハンドルポスト又はフレームにも、直接適合できる設計により解決し、固定対象のある駐輪スペースでの使用に適したワイヤー錠を提供することを課題とする。
【課題を解決するための手段】
【０００６】
本発明のワイヤー錠は、盗難防止に使用するワイヤー錠であって、ワイヤーの一端Ａに形成した輪に他端Ｂを通し、固定対象に繋ぎ止める手段と、繋ぎ止める対象物を繋ぐ前記他端Ｂは、差込オス部となっており、錠本体に差込メス部が付属する錠手段と、前記差込オス部の貫通する穴が両端に開いてＵ字形状をした係止部は、前記錠本体の一部として前記差込メス部の手前に付属している係止手段と、を備えることを第１の特徴としている。
【０００７】
上記本発明のワイヤー錠の第１の特徴によれば、本発明のワイヤー錠は盗難防止に使用するワイヤー錠であって、ワイヤーの一端Ａに形成した輪に他端Ｂを通し、固定対象に繋ぎ止める手段と、繋ぎ止める対象物を繋ぐ前記他端Ｂは、差込オス部となっており、錠本体に差込メス部が付属する錠手段と、前記差込オス部の貫通する穴が両端に開いてＵ字形状をした係止部は、前記錠本体の一部として前記差込メス部の手前に付属している係止手段と、を備えることを特徴としていることから、余分な部品を介さず、直接、自転車のハンドルポストやフレームに一端を繋ぐことができる。
【０００８】
また、本発明のワイヤー錠は、上記本発明の第１の特徴に加えて、前記Ｕ字形状のサイズが、自転車のハンドルポスト又はフレームの、パイプ径の寸法に合致するように、前記Ｕ字形状の内寸が３０から７０ミリメートルを有する前記係止手段を備えていることを第２の特徴としている。
【０００９】
上記本発明の第２の特徴によれば、上記本発明の第１の特徴による作用効果に加えて、前記Ｕ字形状のサイズが、自転車のハンドルポスト又はフレームの、パイプ径の寸法に合致するように、前記Ｕ字形状の内寸が３０から７０ミリメートルを有する前記係止手段を備えていることを特徴とすることから、繋ぎ止める対象物である自転車のハンドルポスト又はフレームに適切に繋ぐことができる。
【００１０】
また、本発明のワイヤー錠は、上記本発明の第１の特徴に加えて、前記ワイヤーのー端Ａに形成した輪の内径の大きさは、前記他端Ｂが通り得る径以上であり、前記錠本体が通り得ない径以下であることを第３の特徴としている。
【００１１】
上記本発明の第３の特徴によれば、上記本発明の第１の特徴による作用効果に加えて、前記ワイヤーのー端Ａに形成した輪の内径の大きさは、前記他端Ｂが通り得る径以上であり、前記錠本体が通り得ない径以下であることを特徴とすることから、前記他端Ｂを錠本体に差し込んだ後は、錠本体がワイヤー端Ａの輪を通り抜けることがなく固定対象に繋ぐことを維持できる。
【発明の効果】
【００１２】
本発明のワイヤー錠によれば、固定対象と繋ぎ止める対象物を本発明のワイヤー錠のみで容易に、確実に、繋ぎ止めることができるので、これまで、繋ぐことが出来なかった対象物として、自転車以外に、キャリーバッグ、電動工具を含む、手で握る取っ手を備えた、盗難を防止したい繋ぎ止める対象物のすべてに、適用範囲が広がる。
【図面の簡単な説明】
【００１３】
【図１】本発明のワイヤー錠基本形態の使用時の斜視図である。
【図２】本発明のワイヤー錠基本形態の分離時の斜視図である。
【図３】本発明のワイヤー錠基本形態の結合時の斜視図である。
【図４】本発明のワイヤー錠のワイヤー端Ａを金具に変更した場合の金具の斜視図である。
【図５】本発明のワイヤー錠のワイヤー端Ａを錠本体に繋いで使用する場合の結合時の斜視図である。
【図６】本発明のワイヤー錠のワイヤーを鎖に変更した場合の分離時の斜視図である。
【図７】本発明のワイヤー錠のワイヤー端Ｂ側にもＵ字形状係止部を通して輪を形成し、対象物を繋いで使用する場合の結合時の斜視図である。
【発明を実施するための形態】
【００１４】
以下、図面を参照して、本発明の実施形態に係るワイヤー錠を説明し、本発明の理解に供する。しかし、以下の説明は本発明の実施形態であって、特許請求の範囲に記載の内容を限定するものではない。
【００１５】
まず、図1から図３を参照して、本発明の実施形態1に係るワイヤー錠の基本形態は、錠本体１が１個と、ワイヤー２が１個と、鍵３が１個と、で構成されている。
【００１６】
ワイヤー錠は、柱（固定対象）５にワイヤー２を巻き付け、ワイヤー端Ａ２ａに形成した輪にワイヤー端Ｂ２ｂを通し、柱５に繋ぎ止める。
【００１７】
次に、Ｕ字形状係止部１ｂを自転車（繋ぎ止める対象物）４の自転車ハンドルポスト４ａにかぶせる。Ｕ字形状係止部の内寸部１ｃは３０から７０ミリメートルとなっている
【００１８】
次に、ワイヤー端Ｂ差込オス部２ｃを錠本体差込メス部１ａに差し込み、自転車４を繋ぐ。
【００１９】
次に、図４を参照して、本発明の実施形態２に係るワイヤー錠の基本形態は、錠本体１が１個と、ワイヤー２が１個と、鍵３が１個と、で構成されている。
【００２０】
ただし、実施形態１との相違点は、ワイヤー端Ａ２ａのワイヤーに変えて、ワイヤー端Ｂ２ｂが通り得る径以上で錠本体１が通り得ない径以下であるワイヤー端Ａ金具穴部６ａが開いた金具６を使用したことである。使用方法は実施形態1と同じである。金具を使用したことを特徴とすることから、コンパクトなワイヤー端を形成することができる。
【００２１】
次に、図５を参照して、本発明の実施形態３に係るワイヤー錠の基本形態は、実施形態１と同じ、錠本体１が１個と、ワイヤー２が１個と、鍵３が１個と、で構成されている。
【００２２】
ただし、実施形態１との相違点は、実施形態1では固定対象にワイヤーを巻き付け、ワイヤー端Ａ２ａに形成した輪にワイヤー端Ｂ２ｂを通した後に、ワイヤー端Ｂ差込オス部２ｃを錠本体差込メス部１ａに差し込むが、実施形態３では、固定対象と繋ぎ止める対象物にワイヤーを通し、Ｕ字形状係止部１ｂの開口部にワイヤー端Ａを入れ、ワイヤー端Ｂ差込オス部２ｃを錠本体差込メス部１ａに差し込むことにより、ワイヤー２が閉じた輪を形成することである。
【００２３】
前記ワイヤー２の閉じた輪により、固定対象に繋ぎ止める対象物を繋ぐことが出来る。
【００２４】
次に、図６を参照して、本発明の実施形態４に係るワイヤー錠の基本形態は、錠本体１が１個と、鎖７が１個と、鍵３が１個と、で構成されている。
【００２５】
ただし、実施形態１との相違点は、ワイヤー２に変えて、鎖７を使用し、鎖端Ｂ７ｂが通り得る径以上の鎖端Ａリング７ａを使用したことである。使用方法は実施形態1と同じである。なお、鎖端７ｃはワイヤー端２ｃと同一形状で同一機能を備えている。ワイヤーに変えて鎖を使用したことを特徴とすることから、鎖の特徴を生かした繋ぎ方ができる。
【００２６】
次に、図２と図７を参照して、本発明の実施形態５に係るワイヤー錠の基本形態は、実施形態１と同じ、錠本体１が１個と、ワイヤー２が１個と、鍵３が１個と、で構成されている。
【００２７】
ただし、実施形態１との相違点は、使用方法である。ワイヤー錠は、柱（固定対象）５にワイヤー２を巻き付け、ワイヤー端Ａ２ａに形成した輪にワイヤー端Ｂ２ｂを通し、柱５に繋ぎ止める。
【００２８】
次に、ワイヤー端Ｂ２ｂを繋ぎ止める対象物８の穴部に通し、ワイヤー２で形成する輪の一部に留める。
【００２９】
次に、Ｕ字形状係止部１ｂをワイヤー２の輪を形成する位置にかぶせる。ワイヤー端Ｂ差込オス部２ｃを錠本体差込メス部１ａに差し込み、繋ぎ止める対象物８を繋ぐ。
【００３０】
次に、請求項に登場する各手段を実現する構成を説明する。
ワイヤーの一端Ａに形成した輪に他端Ｂを通し、固定対象に繋ぎ止める手段は、以下に、本発明の実施形態１から実施形態５で説明する。
【００３１】
ここで、ワイヤーの一端Ａに形成した輪とは、図２で示す通り、ワイヤー端を輪形状にし、ワイヤー端とワイヤー中間部を固定して形成した輪である。図４では、金具６で輪を形成している。図６では、鎖リング７ａで輪を形成している。
【００３２】
本発明の実施形態1と実施形態５では、図１又は図７に示す通り、固定対象の柱５にワイヤー２を巻き付け、ワイヤーの一端Ａに形成した輪に他端Ｂを通すことにより、固定対象にワイヤーを繋ぎ止めることが出来る。
【００３３】
実施形態２では図４で示す通り、ワイヤーの一端Ａに形成した輪が金具６となっているが、使用方法は実施形態１と同じである。
【００３４】
実施形態３では図５で示す通り、固定対象にワイヤー２を巻き付け、Ｕ字形状係止部１ｂの開口部にワイヤー端Ａを入れ、ワイヤーの一端Ａに形成した輪に他端Ｂを通した後、ワイヤー端Ｂ差込オス部２ｃを錠本体差込メス部１ａに差し込むことにより、固定対象にワイヤーを繋ぎ止めることが出来る。
【００３５】
実施形態４では図６で示す通り、固定対象に鎖７を巻き付け、鎖の一端Ａに形成した輪の鎖リング７ａに他端Ｂの鎖端７ｂを通すことにより、固定対象にワイヤーを繋ぎ止めることが出来る。
【００３６】
繋ぎ止める対象物を繋ぐ前記他端Ｂは、差込オス部となっており、錠本体に差込メス部が付属する錠手段は、以下に、本発明の実施形態１から実施形態５で説明する。
【００３７】
ここで、差込オス部とは、図２で示す通り、錠本体１の錠本体差込メス部１ａにワイヤー端Ｂ差込オス部２ｃを差し込んだ時、図３の状態となり、錠本体１に、錠機能を有する戻り止めが組み込んであり、ワイヤー端Ｂ２ｂが戻り止めにより抜けない状態となっている。ワイヤー端Ｂ２ｂを抜くためには、鍵３により戻り止めを開放する必要がある。
【００３８】
差込メス部とは、図２で示す通り、ワイヤー端Ｂ差込オス部２ｃを錠本体１の錠本体差込メス部１ａに差し込んだ時、図３の状態となり、錠本体１に、錠機能を有する戻り止めが組み込んであり、ワイヤー端Ｂ２ｂが戻り止めにより抜けない状態となる。ワイヤー端Ｂ２ｂを抜くためには、鍵３により戻り止めを開放する必要がある。
【００３９】
本発明の実施形態１から実施形態５では、図２で示すワイヤー端Ｂ差込オス部２ｃ又は図６で示す鎖端Ｂ差込オス部７ｃを、錠本体１の錠本体差込メス部１ａに差し込むことにより、錠としての機能を発現する。掛かった錠を開放するには鍵３が必要である。
【００４０】
前記差込オス部の貫通する穴が両端に開いてＵ字形状をした係止部は、前記錠本体の一部として前記差込メス部の手前に付属している係止手段は、以下に、本発明の実施形態１から実施形態５で説明する。
【００４１】
ここで、Ｕ字形状をした係止部とは、吊り具で使用するネジシャクルの形状をしており、ワイヤー端Ｂ２ｂがネジシャクルのピンに相当する。ワイヤー端Ｂ２ｂは、Ｕ字形状係止部の内寸部１ｃより長い棒状をしており、錠本体差込メス部１ａにワイヤー端Ｂ差込オス部２ｃを挿入した時、ネジシャクルと同様の剛体としての強固な係止機能を発現し盗難防止に寄与する。
【００４２】
本発明の実施形態１から実施形態５では、図２で示すワイヤー端Ｂ差込オス部２ｃ又は図６で示す鎖端Ｂ差込オス部７ｃを、錠本体１の錠本体差込メス部１ａに差し込むことにより、錠としての機能を発現すと同時に、差込メス部の手前に付属したＵ字形状係止部１ｂと、ワイヤー端Ｂ２ｂ又は鎖端Ｂ７ｂと、により、繋ぎ止める対象物を繋ぐ機能を発現する。
【産業上の利用可能性】
【００４３】
本発明は固定対象と繋ぎ止める対象物を繋ぎ、盗難防止に利用することができる。
【符号の説明】
【００４４】
１      錠本体
１ａ    錠本体差込メス部
１ｂ    Ｕ字形状係止部
１ｃ    Ｕ字形状係止部の内寸部
２      ワイヤー
２ａ    ワイヤー端Ａ
２ｂ    ワイヤー端Ｂ
２ｃ    ワイヤー端Ｂ差込オス部
２ｄ    ワイヤー端Ａ輪の内径部
３      鍵
４      自転車（繋ぎ止める対象物）
４ａ    自転車ハンドルポスト
４ｂ    自転車フレーム
５      柱（固定対象）
６      ワイヤー端Ａ金具
６ａ    ワイヤー端Ａ金具穴部
７      鎖
７ａ    鎖リング
７ｂ    鎖端Ｂ
７ｃ    鎖端Ｂ差込オス部
８      繋ぎ止める対象物
【図１】
2020190140.tif 000003
【図２】
2020190140.tif 000004
【図３】
2020190140.tif 000005
【図４】
2020190140.tif 000006
【図５】
2020190140.tif 000007
【図６】
2020190140.tif 000008
【図７】
2020190140.tif 000009
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
盗難防止に使用するワイヤー錠であって、固定対象と繋ぎ止める対象物を繋ぐために、一端Ａに形成した輪を備え他端Ｂに先端が差込オス部となるピンを備えるワイヤーと、内蔵された差込メス部を備える錠本体と、前記錠本体の一部として前記差込メス部の手前に付属し前記差込オス部の貫通する穴が両端に開いたＵ字形状部材と、を備えることを特徴とするワイヤー錠。
【請求項２】
前記Ｕ字形状部材のサイズが、自転車のハンドルポスト又はフレームの、パイプ径の寸法に合致するように、前記Ｕ字形状部材の内寸が３０から７０ミリメートルであることを特徴とする請求項１に記載のワイヤー錠。
【請求項３】
前記ワイヤーのー端Ａに形成した輪の内径の大きさは、前記他端Ｂが通り得る径以上であり、前記錠本体が通り得ない径以下であることを特徴とする請求項１に記載のワイヤー錠。
【手続補正２】
【補正対象書類名】明細書
【補正対象項目名】全文
【補正方法】変更
【補正の内容】
【発明の詳細な説明】
【技術分野】
【０００１】
本発明は、ワイヤー錠に関する。
【背景技術】
【０００２】
従来、ワイヤーの一端を固定対象に繋ぎ止め、他端を繋ぎ止める対象物に繋ぐ、ワイヤー錠は、ワイヤー端を錠に繋ぐ単独機能で設計されており、繋ぎ止める対象物と錠は、別部品で、固定又は繋いでいる。このようなワイヤー錠を示す従来技術としては、下記特許文献１〜３がある。
【先行技術文献】
【特許文献】
【０００３】
【特許文献１】特許第６０３１６３８号公報
【特許文献２】特開２０１１−５６９７０号公報
【特許文献３】実登３１０５９６５号公報
【発明の概要】
【発明が解決しようとする課題】
【０００４】
上記特許文献１〜３に示すような従来のワイヤー錠においては、ワイヤーで輪を形成、又は、一端を繋ぎ止める対象物に取り付けた部品に差し込む、ことを前提として設計したものが一般的であった。また、自転車のハンドルポスト又はフレームに、付属部品なしで適合するワイヤー錠は一般的ではない。
【０００５】
そこで、本発明は上記、従来の課題に対し、ワイヤー錠を自転車のハンドルポスト又はフレームにも、直接適合できる設計により解決し、固定対象のある駐輪スペースでの使用に適したワイヤー錠を提供することを課題とする。
【課題を解決するための手段】
【０００６】
本発明のワイヤー錠は、盗難防止に使用するワイヤー錠であって、固定対象と繋ぎ止める対象物を繋ぐために、一端Ａに形成した輪を備え他端Ｂに先端が差込オス部となるピンを備えるワイヤーと、内蔵された差込メス部を備える錠本体と、前記錠本体の一部として前記差込メス部の手前に付属し前記差込オス部の貫通する穴が両端に開いたＵ字形状部材と、を備えることを第１の特徴としている。
【０００７】
上記本発明のワイヤー錠の第１の特徴によれば、本発明のワイヤー錠は盗難防止に使用するワイヤー錠であって、固定対象と繋ぎ止める対象物を繋ぐために、一端Ａに形成した輪を備え他端Ｂに先端が差込オス部となるピンを備えるワイヤーと、内蔵された差込メス部を備える錠本体と、前記錠本体の一部として前記差込メス部の手前に付属し前記差込オス部の貫通する穴が両端に開いたＵ字形状部材と、を備えることを特徴としていることから、余分な部品を介さず、直接、自転車のハンドルポストやフレームに一端を繋ぐことができる。
【０００８】
また、本発明のワイヤー錠は、上記本発明の第１の特徴に加えて、前記Ｕ字形状のサイズが、自転車のハンドルポスト又はフレームの、パイプ径の寸法に合致するように、前記Ｕ字形状の内寸が３０から７０ミリメートルであることを第２の特徴としている。
【０００９】
上記本発明の第２の特徴によれば、上記本発明の第１の特徴による作用効果に加えて、前記Ｕ字形状のサイズが、自転車のハンドルポスト又はフレームの、パイプ径の寸法に合致するように、前記Ｕ字形状の内寸が３０から７０ミリメートルであることを特徴とすることから、繋ぎ止める対象物である自転車のハンドルポスト又はフレームに適切に繋ぐことができる。
【００１０】
また、本発明のワイヤー錠は、上記本発明の第１の特徴に加えて、前記ワイヤーのー端Ａに形成した輪の内径の大きさは、前記他端Ｂが通り得る径以上であり、前記錠本体が通り得ない径以下であることを第３の特徴としている。
【００１１】
上記本発明の第３の特徴によれば、上記本発明の第１の特徴による作用効果に加えて、前記ワイヤーのー端Ａに形成した輪の内径の大きさは、前記他端Ｂが通り得る径以上であり、前記錠本体が通り得ない径以下であることを特徴とすることから、前記他端Ｂを錠本体に差し込んだ後は、錠本体がワイヤー端Ａの輪を通り抜けることがなく固定対象に繋ぐことを維持できる。
【発明の効果】
【００１２】
本発明のワイヤー錠によれば、固定対象と繋ぎ止める対象物を本発明のワイヤー錠のみで容易に、確実に、繋ぎ止めることができるので、これまで、繋ぐことが出来なかった対象物として、自転車以外に、キャリーバッグ、電動工具を含む、手で握る取っ手を備えた、盗難を防止したい繋ぎ止める対象物のすべてに、適用範囲が広がる。
【図面の簡単な説明】
【００１３】
【図１】本発明のワイヤー錠基本形態の使用時の斜視図である。
【図２】本発明のワイヤー錠基本形態の分離時の斜視図である。
【図３】本発明のワイヤー錠基本形態の結合時の斜視図である。
【図４】本発明のワイヤー錠のワイヤー端Ａを金具に変更した場合の金具の斜視図である。
【図５】本発明のワイヤー錠のワイヤー端Ａを錠本体に繋いで使用する場合の結合時の斜視図である。
【図６】本発明のワイヤー錠のワイヤーを鎖に変更した場合の分離時の斜視図である。
【図７】本発明のワイヤー錠のワイヤー端Ｂ側にもＵ字形状係止部を通して輪を形成し、対象物を繋いで使用する場合の結合時の斜視図である。
【発明を実施するための形態】
【００１４】
以下、図面を参照して、本発明の実施形態に係るワイヤー錠を説明し、本発明の理解に供する。しかし、以下の説明は本発明の実施形態であって、特許請求の範囲に記載の内容を限定するものではない。
【００１５】
まず、図1から図３を参照して、本発明の実施形態1に係るワイヤー錠の基本形態は、錠本体１が１個と、ワイヤー２が１個と、鍵３が１個と、で構成されている。
【００１６】
ワイヤー錠は、柱（固定対象）５にワイヤー２を巻き付け、ワイヤー端Ａ２ａに形成した輪にワイヤー端Ｂ２ｂを通し、柱５に繋ぎ止める。
【００１７】
次に、Ｕ字形状係止部１ｂを自転車（繋ぎ止める対象物）４の自転車ハンドルポスト４ａにかぶせる。Ｕ字形状係止部の内寸部１ｃは３０から７０ミリメートルとなっている
【００１８】
次に、ワイヤー端Ｂ差込オス部２ｃを錠本体差込メス部１ａに差し込み、自転車４を繋ぐ。
【００１９】
次に、図４を参照して、本発明の実施形態２に係るワイヤー錠の基本形態は、錠本体１が１個と、ワイヤー２が１個と、鍵３が１個と、で構成されている。
【００２０】
ただし、実施形態１との相違点は、ワイヤー端Ａ２ａのワイヤーに変えて、ワイヤー端Ｂ２ｂが通り得る径以上で錠本体１が通り得ない径以下であるワイヤー端Ａ金具穴部６ａが開いた金具６を使用したことである。使用方法は実施形態1と同じである。金具を使用したことを特徴とすることから、コンパクトなワイヤー端を形成することができる。
【００２１】
次に、図５を参照して、本発明の実施形態３に係るワイヤー錠の基本形態は、実施形態１と同じ、錠本体１が１個と、ワイヤー２が１個と、鍵３が１個と、で構成されている。
【００２２】
ただし、実施形態１との相違点は、実施形態1では固定対象にワイヤーを巻き付け、ワイヤー端Ａ２ａに形成した輪にワイヤー端Ｂ２ｂを通した後に、ワイヤー端Ｂ差込オス部２ｃを錠本体差込メス部１ａに差し込むが、実施形態３では、固定対象と繋ぎ止める対象物にワイヤーを通し、Ｕ字形状係止部１ｂの開口部にワイヤー端Ａを入れ、ワイヤー端Ｂ差込オス部２ｃを錠本体差込メス部１ａに差し込むことにより、ワイヤー２が閉じた輪を形成することである。
【００２３】
前記ワイヤー２の閉じた輪により、固定対象に繋ぎ止める対象物を繋ぐことが出来る。
【００２４】
次に、図６を参照して、本発明の実施形態４に係るワイヤー錠の基本形態は、錠本体１が１個と、鎖７が１個と、鍵３が１個と、で構成されている。
【００２５】
ただし、実施形態１との相違点は、ワイヤー２に変えて、鎖７を使用し、鎖端Ｂ７ｂが通り得る径以上の鎖端Ａリング７ａを使用したことである。使用方法は実施形態1と同じである。なお、鎖端７ｃはワイヤー端２ｃと同一形状で同一機能を備えている。ワイヤーに変えて鎖を使用したことを特徴とすることから、鎖の特徴を生かした繋ぎ方ができる。
【００２６】
次に、図２と図７を参照して、本発明の実施形態５に係るワイヤー錠の基本形態は、実施形態１と同じ、錠本体１が１個と、ワイヤー２が１個と、鍵３が１個と、で構成されている。
【００２７】
ただし、実施形態１との相違点は、使用方法である。ワイヤー錠は、柱（固定対象）５にワイヤー２を巻き付け、ワイヤー端Ａ２ａに形成した輪にワイヤー端Ｂ２ｂを通し、柱５に繋ぎ止める。
【００２８】
次に、ワイヤー端Ｂ２ｂを繋ぎ止める対象物８の穴部に通し、ワイヤー２で形成する輪の一部に留める。
【００２９】
次に、Ｕ字形状係止部１ｂをワイヤー２の輪を形成する位置にかぶせる。ワイヤー端Ｂ差込オス部２ｃを錠本体差込メス部１ａに差し込み、繋ぎ止める対象物８を繋ぐ。
【００３０】
次に、請求項に登場する各手段を実現する構成を説明する。
ワイヤーの一端Ａに形成した輪に他端Ｂを通し、固定対象に繋ぎ止める手段は、以下に、本発明の実施形態１から実施形態５で説明する。
【００３１】
ここで、ワイヤーの一端Ａに形成した輪とは、図２で示す通り、ワイヤー端を輪形状にし、ワイヤー端とワイヤー中間部を固定して形成した輪である。図４では、金具６で輪を形成している。図６では、鎖リング７ａで輪を形成している。
【００３２】
本発明の実施形態1と実施形態５では、図１又は図７に示す通り、固定対象の柱５にワイヤー２を巻き付け、ワイヤーの一端Ａに形成した輪に他端Ｂを通すことにより、固定対象にワイヤーを繋ぎ止めることが出来る。
【００３３】
実施形態２では図４で示す通り、ワイヤーの一端Ａに形成した輪が金具６となっているが、使用方法は実施形態１と同じである。
【００３４】
実施形態３では図５で示す通り、固定対象にワイヤー２を巻き付け、Ｕ字形状係止部１ｂの開口部にワイヤー端Ａを入れ、ワイヤーの一端Ａに形成した輪に他端Ｂを通した後、ワイヤー端Ｂ差込オス部２ｃを錠本体差込メス部１ａに差し込むことにより、固定対象にワイヤーを繋ぎ止めることが出来る。
【００３５】
実施形態４では図６で示す通り、固定対象に鎖７を巻き付け、鎖の一端Ａに形成した輪の鎖リング７ａに他端Ｂの鎖端７ｂを通すことにより、固定対象にワイヤーを繋ぎ止めることが出来る。
【００３６】
繋ぎ止める対象物を繋ぐ前記他端Ｂは、差込オス部となっており、錠本体に差込メス部が付属する錠手段は、以下に、本発明の実施形態１から実施形態５で説明する。
【００３７】
ここで、差込オス部とは、図２で示す通り、錠本体１の錠本体差込メス部１ａにワイヤー端Ｂ差込オス部２ｃを差し込んだ時、図３の状態となり、錠本体１に、錠機能を有する戻り止めが組み込んであり、ワイヤー端Ｂ２ｂが戻り止めにより抜けない状態となっている。ワイヤー端Ｂ２ｂを抜くためには、鍵３により戻り止めを開放する必要がある。
【００３８】
差込メス部とは、図２で示す通り、ワイヤー端Ｂ差込オス部２ｃを錠本体１の錠本体差込メス部１ａに差し込んだ時、図３の状態となり、錠本体１に、錠機能を有する戻り止めが組み込んであり、ワイヤー端Ｂ２ｂが戻り止めにより抜けない状態となる。ワイヤー端Ｂ２ｂを抜くためには、鍵３により戻り止めを開放する必要がある。
【００３９】
本発明の実施形態１から実施形態５では、図２で示すワイヤー端Ｂ差込オス部２ｃ又は図６で示す鎖端Ｂ差込オス部７ｃを、錠本体１の錠本体差込メス部１ａに差し込むことにより、錠としての機能を発現する。掛かった錠を開放するには鍵３が必要である。
【００４０】
前記差込オス部の貫通する穴が両端に開いてＵ字形状をした係止部は、前記錠本体の一部として前記差込メス部の手前に付属している係止手段は、以下に、本発明の実施形態１から実施形態５で説明する。
【００４１】
ここで、Ｕ字形状をした係止部とは、吊り具で使用するネジシャクルの形状をしており、ワイヤー端Ｂ２ｂがネジシャクルのピンに相当する。ワイヤー端Ｂ２ｂは、Ｕ字形状係止部の内寸部１ｃより長い棒状をしており、錠本体差込メス部１ａにワイヤー端Ｂ差込オス部２ｃを挿入した時、ネジシャクルと同様の剛体としての強固な係止機能を発現し盗難防止に寄与する。
【００４２】
本発明の実施形態１から実施形態５では、図２で示すワイヤー端Ｂ差込オス部２ｃ又は図６で示す鎖端Ｂ差込オス部７ｃを、錠本体１の錠本体差込メス部１ａに差し込むことにより、錠としての機能を発現すと同時に、差込メス部の手前に付属したＵ字形状係止部１ｂと、ワイヤー端Ｂ２ｂ又は鎖端Ｂ７ｂと、により、繋ぎ止める対象物を繋ぐ機能を発現する。
【産業上の利用可能性】
【００４３】
本発明は固定対象と繋ぎ止める対象物を繋ぎ、盗難防止に利用することができる。
【符号の説明】
【００４４】
１      錠本体
１ａ    錠本体差込メス部
１ｂ    Ｕ字形状係止部
１ｃ    Ｕ字形状係止部の内寸部
２      ワイヤー
２ａ    ワイヤー端Ａ
２ｂ    ワイヤー端Ｂ
２ｃ    ワイヤー端Ｂ差込オス部
２ｄ    ワイヤー端Ａ輪の内径部
３      鍵
４      自転車（繋ぎ止める対象物）
４ａ    自転車ハンドルポスト
４ｂ    自転車フレーム
５      柱（固定対象）
６      ワイヤー端Ａ金具
６ａ    ワイヤー端Ａ金具穴部
７      鎖
７ａ    鎖リング
７ｂ    鎖端Ｂ
７ｃ    鎖端Ｂ差込オス部
８      繋ぎ止める対象物